(57)【特許請求の範囲】
【請求項１】
モータを駆動する高圧インバータシステムにおいて、
前記高圧インバータから出力される出力電圧を前記モータにスイッチングする第１スイッチ、
常用電源を前記モータにスイッチングする第２スイッチ、
前記第１スイッチと前記高圧インバータとの間に配置されるリアクタ、及び
前記高圧インバータの出力電圧を常用電源と同期化して前記高圧インバータに提供する制御部を含み、
前記制御部は、
前記高圧インバータの入力電圧を受信して、入力電圧情報を決定する第１ＰＬＬ部、
前記第１ＰＬＬ部から受信した入力電圧と前記高圧インバータの出力指令とを比較して、その差を出力する比較部、及び
前記差を利用して、前記高圧インバータの出力指令を同期化する同期制御部を含み、
前記リアクタのリアクタンスは、
前記高圧インバータの出力電圧と常用電源との間の電圧差による循環電流の大きさを制限する程度によって決定され、
前記リアクタによって発生する前記高圧インバータの出力電圧の降下分を考慮して決定されることを特徴とする、高圧インバータシステム。
【請求項２】
前記高圧インバータの入力端に配置されて、前記高圧インバータの入力電圧を検出して、前記制御部の前記第１ＰＬＬ部に伝達する第１検出部をさらに含むことを特徴とする、請求項１に記載の高圧インバータシステム。
【請求項３】
前記制御部は、
同期化された前記高圧インバータの出力指令を利用して、前記高圧インバータに出力電圧を出力する出力部をさらに含むことを特徴とする、請求項１または２に記載の高圧インバータシステム。
【請求項４】
前記制御部は、
前記出力部が出力する出力電圧を受信して、出力電圧情報を決定する第２ＰＬＬ部をさらに含むことを特徴とする、請求項３に記載の高圧インバータシステム。
【請求項５】
前記同期制御部は、
前記第２ＰＬＬ部から出力電圧情報を受信して、前記高圧インバータの出力指令を同期化することを特徴とする、請求項４に記載の高圧インバータシステム。
【発明の詳細な説明】
【技術分野】
【０００１】
本発明は、高圧インバータに用いられる制御装置と、これを利用した高圧インバータシステムに関するものである。
【背景技術】
【０００２】
一般に、インバータを利用して複数のモータを起動するマルチソフトスタータ（ｍｕｌｔｉ  ｓｏｆｔ  ｓｔａｒｔｅｒ）制御を行うためには、モータに入力される電源をインバータ出力電源から常用電源に切り替える動作が必要となる。
【０００３】
マルチソフトスタータとは、一台のモータにインバータ出力を連結して、常用電源のような周波数の運転速度でモータを加速した後、モータの入力電源を常用電源に変えて、インバータ出力を他のモータに連結して加速して常用電源に切り替えることによって、複数のモータを次々と可動させる方法をいう。
【０００４】
高圧インバータシステムにおいて、インバータ出力電源と常用電源との間の切り替えは、主に真空遮断器（Ｖａｃｕｕｍ  Ｃｉｒｃｕｉｔ  Ｂｒｅａｋｅｒ、ＶＣＢ）、または真空スイッチ（Ｖａｃｕｕｍ  Ｓｗｉｔｃｈ、ＶＣＳ）を用いて行われ、切り替え動作中には種々の原因による電気的衝撃がモータとインバータ及び常用電源に加えられることになる。
【０００５】
図１は、高圧システムにおけるマルチソフトスタータの動作を説明するための例示図である。
【０００６】
図面に示したように、従来の高圧インバータシステムでは、モータＭ１を起動するために、ラインＡを連結して高圧インバータ１００で起動する。即ち、モータＭ１の周波数を常用電源の周波数と合わせた後に、ラインＡを遮断しラインＢを連結して常用電源とモータＭ１を連結する。以後、次々とモータＭｎまで同様の方式で駆動する。
【０００７】
このようなシステムは、主にウォーターポンプ設備に用いられ、通常最後のモータＭｎは、高圧インバータ１００で速度を制御する。
【０００８】
図２は、図１の電源切り替え動作を説明するための例示図である。
【０００９】
図面に示したように、ラインＡを介してモータＭが高圧インバータ１００に連結されている状態で、インバータスイッチ（ＳＷ）１１０をオフし、ラインＢのグリッドスイッチ（ＳＷ）１２０を連結して、常用電源をモータＭに連結する。
【００１０】
しかし、高圧モータを用いる場合、このようなマルチソフトスタータ動作時、常用電源切り替えによって電気的な衝撃が生じて、高圧モータにはこのようなマルチソフトスタータ方式を適用できない問題がある。
【発明の概要】
【発明が解決しようとする課題】
【００１１】
本発明が解決しようとする技術的課題は、インバータ出力から常用電源にモータをスイッチングする場合、モータに加えられる電気的衝撃を最小化する高圧インバータ制御装置及び高圧インバータシステムを提供することである。
【課題を解決するための手段】
【００１２】
前記のような技術的課題を解決するために、本発明の一実施形態の高圧インバータ制御装置は、高圧インバータの入力電圧を受信して入力電圧情報を決定する第１位相同期ループ（ＰＬＬ）部、前記高圧インバータの出力指令を比較して、その差を出力する比較部、及び前記差を利用して、前記高圧インバータの出力指令を同期化する同期制御部を含んでもよい。
【００１３】
本発明の一実施形態において、前記高圧インバータの入力端に配置されて、前記高圧インバータの入力電圧を検出して前記第１ＰＬＬ部に伝達する第１検出部をさらに含んでもよい。
【００１４】
本発明の一実施形態において、同期化された前記高圧インバータの出力指令を利用して、前記高圧インバータで出力電圧を出力する出力部をさらに含んでもよい。
【００１５】
本発明の一実施形態において、前記出力部が出力する出力電圧を受信して出力電圧情報を決定する第２ＰＬＬ部をさらに含んでもよい。
【００１６】
本発明の一実施形態において、前記同期制御部は、前記第２ＰＬＬ部から出力電圧情報を受信して、前記高圧インバータの出力指令を同期化することができる。
【００１７】
また、前記のような技術的課題を解決するために、本発明の高圧インバータシステムは、前記高圧インバータから出力される出力電圧を前記モータにスイッチングする第１スイッチ、常用電源を前記モータにスイッチングする第２スイッチ、前記第１スイッチと前記高圧インバータとの間に配置されるリアクタ、及び前記高圧インバータの出力電圧を常用電源と同期化して前記高圧インバータに提供する制御部を含んでもよい。
【００１８】
本発明の一実施形態において、前記制御部は、前記高圧インバータの入力電圧を受信して入力電圧情報を決定する第１ＰＬＬ部、前記高圧インバータの出力指令を比較して、その差を出力する比較部、及び前記差を利用して、前記高圧インバータの出力指令を同期化する同期制御部を含んでもよい。
【００１９】
本発明の一実施形態において、前記高圧インバータの入力端に配置されて、前記高圧インバータの入力電圧を検出して前記制御部の前記第１ＰＬＬ部に伝達する第１検出部をさらに含んでもよい。
【００２０】
本発明の一実施形態において、前記制御部は、同期化された前記高圧インバータの出力指令を利用して、前記高圧インバータに出力電圧を出力する出力部をさらに含んでもよい。
【００２１】
本発明の一実施形態において、前記制御部は、前記出力部が出力する出力電圧を受信して出力電圧情報を決定する第２ＰＬＬ部をさらに含んでもよい。
本発明の一実施形態において、前記同期制御部は、前記第２ＰＬＬ部から出力電圧情報を受信して、前記高圧インバータの出力指令を同期化することができる。
【００２２】
本発明の一実施形態において、前記リアクタのリアクタンスは、前記高圧インバータの出力電圧と常用電源との間の電圧差による循環電流の大きさを制限する程度によって決定してもよい。
【００２３】
本発明の一実施形態において、前記リアクタのリアクタンスは、前記リアクタによって発生する前記高圧インバータの出力電圧の降下分を考慮して決定してもよい。
【発明の効果】
【００２４】
前記のような本発明は、常用電源とインバータ出力電圧を同期化して切り替えを行って、常用電源とインバータ出力電圧の電圧差によって発生する電気的衝撃を相当減らすことができ、常用電源とインバータ出力電圧との間にリアクタを設置して電流による電気的衝撃を減らすことができる。
【００２５】
従って、本発明は、インバータがモータの速度を制御している状況下、インバータのメンテナンスが必要な場合、モータの運転を常用電源に渡してインバータを停止する場合にも適用されて、安定したモータ運転が可能にする。
【図面の簡単な説明】
【００２６】
【図１】高圧システムにおいてマルチソフトスタータ動作を説明するための例示図である。
【図２】図１の電源切り替え動作を説明するための例示図である。
【図３】本発明に係る高圧インバータシステムの一実施形態構成図である。
【図４】本発明に係る高圧インバータ制御装置の一実施形態構成図である。
【発明を実施するための形態】
【００２７】
本発明は、多様な変更を加えることができ、種々の実施形態を有することができ、特定実施形態を図面に例示して詳細に説明する。しかし、これは本発明を特定の実施形態に対して限定しようとするものではなく、本発明の思想及び技術範囲に含まれる全ての変更、均等物乃至代替物を含むものと理解されなければならない。
【００２８】
本発明は、インバータ出力と常用電源をスイッチングする際にモータに印加される電気的衝撃を減らすためのものであって、二つの電源の大きさと位相を同期化し、二つの電源が同時に所定時間モータに印加されるようにし、瞬間短続されないようにし、二つの電源の間にリアクタを設置して電流による電気的衝撃をなくそうとするものである。
【００２９】
本発明は、インバータがモータの速度を制御している状況下、インバータのメンテナンスが必要な場合、モータを常用電源に連結してインバータを停止する場合にも適用できる。
【００３０】
以下、添付された図面を参照して本発明に係る好ましい一実施形態を詳細に説明する。
【００３１】
図３は、本発明に係る高圧インバータシステムの一実施形態構成図であり、図１に示すようなシステムの一部を拡大したものを示す。本発明のシステムは、複数のモータのマルチソフトスタータのための高圧インバータシステムであって、便宜のため複数のモータを省略して図示する。
【００３２】
図面に示したように、本発明に係る高圧インバータシステムは、高圧インバータ１０、常用電源検出部２０、インバータ出力電源検出部３０、リアクタ（ｒｅａｃｔｏｒ）４０、常用電源スイッチ５０及びインバータスイッチ６０を含む。
【００３３】
常用電源検出部２０は、入力される常用電源を測定する。インバータ出力電源検出部３０は、モータＭの入力側電源、即ち高圧インバータ１０の出力電源を測定する。
【００３４】
また、常用電源スイッチ５０は、常用電源のモータＭへのバイパスをスイッチングし、インバータスイッチ６０は、高圧インバータ１０の出力をモータＭにスイッチングする。
【００３５】
リアクタ４０は、高圧インバータ１０とインバータスイッチ６０との間に配置されて、常用電源と高圧インバータ１０の出力電源が同時に連結される場合、二つの電源が衝突するのを防止する。リアクタ４０の大きさは、二つの電源の間の電圧差による循環電流の大きさを制限する程度と、リアクタ４０により発生する高圧インバータ１０の出力電圧の降下分を考慮して設計する。
【００３６】
図４は、本発明に係る高圧インバータ制御装置の一実施形態構成図であり、図３の高圧インバータ１０内部に構成される。本発明の制御装置以外に、高圧インバータ１０を本機能を行う多数の構成要素を含むが、本発明と関係のない構成要素の説明は便宜のため省略することにする。
【００３７】
図面に示したように、本発明の制御装置は、入力位相同期ループ（Ｐｈａｓｅ  Ｌｏｃｋｅｄ  Ｌｏｏｐ、以下、「ＰＬＬ」という）部１１、出力ＰＬＬ部１２、比較部１３、同期制御部１４及びインバータ出力部１５を含む。
【００３８】
入力ＰＬＬ部１１は常用電源検出部２０から高圧インバータ１０への入力電圧、即ち常用電源を受信して、そこから高圧インバータ１０の入力電源の大きさと位相等の情報を決定する。
【００３９】
比較部１３は、入力ＰＬＬ部１１から受信した入力電圧と高圧インバータ１０の出力指令を比較して、エラーを出力する。
【００４０】
同期制御部１４は、インバータ出力電圧を急激に変化することなく安定的に制御できるように、同期化されたインバータ出力指令を出力する。
【００４１】
インバータ出力部１５は、同期制御部１４から受信する同期化されたインバータ出力指令を利用して、出力電圧を出力する。カスケード（ｃａｓｃａｄｅ）方式の高圧インバータ１０の場合、インバータ出力電圧は、主にマスター制御器（図示しない）が電圧指令を決定し、各セルのパルス幅変調（ＰＷＭ）制御部と電力用半導体を介して出力電圧が決定されることは、本発明が属する技術分野において明らかであるため、その詳細な説明は省略することにする。
【００４２】
また、出力ＰＬＬ部１２は、インバータ出力電源検出部３０が検出したインバータ出力電源から出力電圧を出力して、その大きさ及び位相等の出力電圧の情報を決定して、同期制御部１４にフィードバックする。
【００４３】
以下、図３及び図４を参照して、本発明の制御装置の動作を説明する。
【００４４】
本発明は、高圧インバータ１０の常用電源切り替えのためのものであって、切り替え時モータＭに加えられる電気的な衝撃を最小化するためのものである。電気的な衝撃は、モータＭに入力する電圧の大きさ及び位相の変化によって発生し、常用電源スイッチ５０とインバータスイッチ６０が全部オープン（ｏｐｅｎ）状態の瞬間短続区間によって発生する。
【００４５】
モータＭに入力される電圧が、高圧インバータ１０の出力電圧から常用電源に変わる間に発生する電気的衝撃を減少するためには、高圧インバータ出力と常用電源の大きさと位相とを同一にしなければならない。
【００４６】
これのために、本発明の図４のような制御装置を構成して、入力電圧情報を利用してインバータ出力電圧を常用電源と同期化する。
【００４７】
本発明の制御装置は、入力ＰＬＬ部１１が、三相入力電圧の各情報と電圧の大きさを決定し、比較部１３が高圧インバータ１０から入力されるインバータ出力指令と比較して、同期制御部１４が同期化されたインバータ出力指令を決める。
【００４８】
この時、リアクタ４０を考慮して、インバータ出力電源検出部３０は、リアクタ４０の後段で出力電圧を測定して、リアクタ４０により発生する電圧の位相遅延を同期制御部１４が補償する。
【００４９】
このように、本発明の制御装置によると、常用電源とインバータ出力電圧を同期化して切り替えを行うと、電圧差によって発生する電気的衝撃を相当減らすことができる。
【００５０】
一方、瞬間短続区間によって発生する電気的衝撃を減らすためには、短続区間が無いようにすべきで、これは常用電源とインバータ出力が、モータＭに同時に入力されなければならないことを意味する。
【００５１】
理論的に、二つの電源が同時に供給される場合、数Ｖの電圧差によって無限大の循環電流が各電源に入力されることになるが、これを防止するために、本発明のリアクタ４０を二つの電源の間に配置する。
【００５２】
また、リアクタ４０は、インバータ出力電圧の特徴であるＰＷＭ波形の形態を常用電圧のように正弦波形態と類似するようにするフィルターの機能を行うが、リアクタ４０のリアクタンスが大きすぎると、高圧インバータ１０の運転中インバータ出力の電圧降下の要因になるため、適切な設計によってリアクタンスを定めなければならない。
【００５３】
本発明は、同期制御部１４を介して高圧インバータ１０の出力電圧を常用電源と同期化して、切り替え動作中瞬間短続区間をなくして、切り替え中発生する電気的な衝撃を相当減らすことができる。
【００５４】
従って、高圧インバータ１０で複数の高圧モータを瞬時起動するマルチソフトスタータを遂行することができる。
【００５５】
以上、代表的な実施形態を通して本発明に対し詳細に説明したが、本発明が属する技術分野において通常の知識を有する者は上で述べた実施形態に対し本発明の範疇から逸脱しない限度内で多様な変形が可能であることを理解するであろう。従って、本発明の権利範囲は、上述した実施形態に限定されて定まってはならず、後述する特許請求の範囲のみならず本特許請求の範囲と均等物等によって定まらなければならない。
【符号の説明】
【００５６】
１０、１００    高圧インバータ
１１    入力ＰＬＬ部
１２    出力ＰＬＬ部
１３    比較部
１４    同期制御部
１５    インバータ出力部
２０    常用電源検出部
３０    インバータ出力電源検出部
４０    リアクタ
５０    常用電源スイッチ
６０、１１０    インバータスイッチ
１２０    グリッドスイッチ
【図１】
0005744929.tif 000002
【図２】
0005744929.tif 000003
【図３】
0005744929.tif 000004
【図４】
0005744929.tif 000005